(57)【特許請求の範囲】
【請求項１】
一枚の樹脂シートを折り畳んで、三箇所の収納部を形成したファイルであって、内側に折り込まれる樹脂シートの背部が切り込まれ、かつ外側となる樹脂シートと内側に折り込まれる樹脂シートとの折り目に沿って該内側に折り込まれる樹脂シートに、該内側シートの背部に対して対称となる位置に同形状のスリット状開口部をそれぞれ設けて、該開口部に対応する外側の樹脂シート同士を接合したことを特徴とするファイル。
【請求項２】
前記収納部を形成する各樹脂シートの切断辺に切り込みを設けてインデックス部を形成し、かつ前記外側の樹脂シートの底辺近傍の切断辺に切欠部を設けたことを特徴とする請求項１に記載のファイル。
【請求項３】
前記外側の樹脂シートとその樹脂シートに隣接する樹脂シートの底辺に設けられる前記開口部を除き、背部の近傍と切断辺の近傍の該樹脂シートが折り目で連続していることを特徴とする請求項１又は２に記載のファイル。
【請求項４】
前記一枚の樹脂シートを折り畳む際に、少なくとも一枚の仕切り樹脂シートを挿入して、前記開口部に対応する部分の前記外側の樹脂シート同士と該仕切り樹脂シートとを接合して、ファイルの収納部を四箇所とすることを特徴とする請求項１，２又は３に記載のファイル。
【発明の詳細な説明】
【０００１】
【発明の属する技術分野】
本発明は、書類等を収納する複数の収納部が設けられた樹脂シートによるファイルに関するものである。
【０００２】
【従来の技術】
図５は、従来の複数の収納部を有するファイルの一例を示す図である。図５のファイル１は、図６に示したように、一枚の樹脂シート２を折り目Ｌ１  ，Ｌ２  に沿って二回折り畳むことで、表樹脂シート２１  と仕切樹脂シート２２  ，２３  と裏樹脂シート２４  とによる三カ所の収納部が形成されている。各樹脂シート２１  〜２４  にはシート部から突出するようにインデックス部３１  〜３４  が形成されている。表樹脂シート２１  を除く各樹脂シート２２  〜２４  の底部は、熱溶着して熱接合部４が形成され、樹脂シート２２  〜２４  が接合されている。
【０００３】
【発明が解決しようとする課題】
図５に示した従来のファイルは、一枚の樹脂シート２を折り目Ｌ１  ，Ｌ２  に沿って二つ折りにした四枚の樹脂シート２１  〜２４  によるファイルであり、樹脂シートの底部２ａが熱接合部４で接合されている。この熱接合部４は、加熱板式の熱接合法により接合されており、通常、厚さが０．２ｍｍの樹脂シートの場合、確実に熱溶着できる枚数が三枚程度であり、図５のファイルでは、樹脂シート２２  〜２４  の三枚が熱溶着されている。
【０００４】
この熱接合法では、樹脂シート２１  を除く、樹脂シート２２  〜２４  を接合しており、その熱接合の際に、樹脂シート２１  〜２４  の内の樹脂シート２１  を開いて、樹脂シート２２  〜２４  の底辺部を受台に載置するとともに加熱板に挿入し、加熱板を樹脂シート２２  〜２４  の熱接合部４に押圧して接着している。この熱接合工程は、樹脂シート２１  を開いて熱溶着しなければならず、接着工数が多く、手間が掛かって、製造原価を高める欠点があった。
【０００５】
さらに、熱接合部４は、樹脂シートが伸びる傾向があり、熱接合部４側の樹脂シートが多少湾曲して好ましくなかった。また、ファイルの背部２ｂは、外側と内側の樹脂シートの折り目が重なっているために、多少の歪みが発生して好ましいものではない。また、熱接合部４は、ファイル１の切断辺５まで接合形成されており、樹脂シートの熱接合部は、表又は裏樹脂シートの引っ張りに弱く、切断辺５と熱接合部４とが接する部分で剥がれやすい欠点があった。
【０００６】
本発明は、上述のような課題に鑑みなされたものであり、樹脂シートの熱接合が容易であって、生産性に優れ、しかも歪みのない綺麗な仕上がりとなるファイルを提供することを目的とするものである。
【０００７】
【課題を解決するための手段】
本発明は、上記課題を達成したものであって、請求項１の発明は、一枚の樹脂シートを折り畳んで、三箇所の収納部を形成したファイルであって、内側に折り込まれる樹脂シートの背部が切り込まれ、かつ外側となる樹脂シートと内側に折り込まれる樹脂シートとの折り目に沿って該内側に折り込まれる樹脂シートに開口部を設けて、該開口部に対応する外側の樹脂シート同士を接合したことを特徴とするファイルである。
【０００８】
請求項１の発明では、一枚の樹脂シートを折り畳んで、それぞれ２枚の外側の樹脂シートと内側の樹脂シートにより、三箇所の収納部が形成されており、繋がった四枚の樹脂シートは、内側の樹脂シートに折り目に沿って背部に対して対称となる位置に同形状のスリット状開口部をそれぞれ設けることによって、折り畳んだ樹脂シートの底部を、熱接合装置の熱接合部に差し込むことで、外側の樹脂シート同士を接合したファイルである。なお、外側の樹脂シートは、表裏樹脂シートであり、内側の樹脂シートは、仕切樹脂シートである。
【０００９】
また、内側の樹脂シートの背部が切断されており、外側の樹脂シート内に綺麗に収納されてファイルに歪みが発生しないし、ファイル底辺が熱接合によって、一方のみ熱滅接着により伸びることがなく、熱接合部が左右均等となり、歪みが生じないので仕上がりの綺麗なファイルとなる。
【００１０】
また、請求項２の発明は、前記収納部を形成する各樹脂シートの切断辺に切り込みを設けてインデックス部を形成し、かつ前記外側の樹脂シートの底辺近傍の切断辺に切欠部を設けたことを特徴とする請求項１に記載のファイルである。
【００１１】
請求項２の発明では、インデックス部が樹脂シートの切り込みで形成されており、ファイルを包装する際に、インデックス部が邪魔になることがなく、ファイルの包装が容易であり、また、樹脂シートの切断辺に設けた切欠部によって、引っ張り力が吸収され、樹脂シートを開く際に熱接合部に直接力が加わらないので、外側と内側の樹脂シートの接合部が剥がれ難い作用を有する。
【００１２】
また、請求項３の発明は、前記外側の樹脂シートとその樹脂シートに隣接する樹脂シートの底辺に設けられる前記開口部を除き、背部の近傍と切断辺の近傍の該樹脂シートが折り目で連続していることを特徴とする請求項１又は２に記載のファイルである。
【００１３】
請求項３の発明では、外側と内側との樹脂シートの折り目が、樹脂シート背部と切断辺とのそれぞれの近傍に残っており、外側の表裏樹脂シートを開く際に、切断辺に設けた切欠部と同様に、樹脂シートを開く際に熱接合部に直接力が加わらないので、外側と内側の樹脂シートの接合部が剥がれ難い作用を有する。
【００１４】
また、請求項４の発明は、前記一枚の樹脂シートを折り畳む際に、少なくとも一枚の仕切り樹脂シートを挿入して、前記開口部に対応する部分の前記外側の樹脂シート同士と該仕切り樹脂シートとを接合して、ファイルの収納部を四箇所とすることを特徴とする請求項１，２又は３に記載のファイルである。
【００１５】
請求項４の発明では、一枚の樹脂シートを二回折り畳む際に、例えば一枚の仕切り樹脂シートを、折り畳んだ樹脂シートに挟むことによって、四つの収納部を形成することができ、無論、底部で折り畳まれた二枚の仕切り樹脂シートを挟むことによって、ファイルに五つの収納部を形成することができる利点がある。なお、複数の収納部を形成する場合、外側の樹脂シートの背部にマチを設けるとよい。
【００１６】
【発明の実施の形態】
以下、本発明に係るファイルの実施の形態について、図面を参照して説明する。図１（ａ）は、本発明のファイルの一実施形態を示す正面図であり、図１（ｂ）は、その説明のための図である。図２は、本実施形態の展開図であり、図３は、製造工程を説明するための図である。図４は、本発明のファイルの他の実施形態を説明するための図である。
【００１７】
図１（ａ），（ｂ）において、本実施形態のファイル１０は、表裏を形成する外側の樹脂シート１１１  ，１１４  と内側の仕切樹脂シート１１２  ，１１３  とで三つの収納部が形成され、１０ａがファイル１０の背部であり、１０ｂが底部、１０ｃが切断辺である。樹脂シート１１１  ，１１４  の切断辺１０ｃには、その底部１０ｂの近傍に切欠部１３１  ，１３２  がそれぞれ形成され、それらの上部にインデックス部１４１  〜１４４  が形成されている。ファイル４の底部１０ｂは、仕切樹脂シート１１２  ，１１３  に、内側シートの背部に対して対称となる位置に同形状のスリット状開口部１２１  ，１２２  が形成され、開口部１２１  ，１２２  に対応する外側の樹脂シート１１１，１１４  が熱接合部１５で結合されている。
【００１８】
図１の本実施形態について、図２の展開図を参照して説明する。本実施形態のファイルは、打抜型で樹脂シートを打ち抜いてファイル一つ分の樹脂シート１１を形成し、二回折り畳んで三つの収納部を形成したファイルである。この打ち抜かれた樹脂シート１１は、連続する四枚の樹脂シート１１１  〜１１４  で構成され、樹脂シート１１２  と１１３  とは背部が切断線１１ａで切り離されている。樹脂シート１１１  と１１２  との繋ぎ部には、折り目Ｌ１１，Ｌ１２に沿って樹脂シート１１２  側にスリット状開口部１２１  が形成され、かつ同様に樹脂シート１１３  と１１４  との折り目Ｌ１３，Ｌ１４に沿って樹脂シート１１３  側に内側シートの背部に対して開口部１２１  と対称となる位置に同形状のスリット状開口部１２２  が形成されている。
【００１９】
また、樹脂シート１１１  ，１１４  には、それぞれの樹脂シートを開く際の引っ張り力を吸収するために切欠部１３１  ，１３２  が形成され、樹脂シート１１１  〜１１４  の切断辺１０ｃには、インデックス部１４１  〜１４４  が形成されている。インデックス部１４１  〜１４３  は、樹脂シート１１１  〜１１３  に切り欠きを設けることで形成し、樹脂シート１１４  は、切り欠きを設けないことでインデックス部１４４  を形成している。さらに、インデックス部１４１  〜１４３  は、印刷層を形成して明確とする。
【００２０】
本実施形態では、図３（ａ），（ｂ）に示したように、樹脂シート１１が切り出された後、二回の折り畳み工程が行われ、第１の折り畳み工程で、樹脂シート１１１  と樹脂シート１１２  とが折れ目Ｌ１１，Ｌ１２から折り畳まれ、かつ樹脂シート１１３  と樹脂シート１１４  とが折れ目Ｌ１３，Ｌ１４から折り畳まれることによって、ファイルの形態ができあがる。第２の折り畳み工程では、外側の樹脂シート１１１  と樹脂シート１１４  に、内側の樹脂シート１１２と樹脂シート１１３  とが折り込まれる。その後、熱接合工程へと進む。樹脂シート１１２  ，１１３  の底部１０ｂに設けられた開口部１２１  ，１２２  は、内側シートの背部に対して対称となる位置に配置された同形状のスリット状の開口部であり、樹脂シート１１１  ，１１４  に挟まれており、熱接合工程で、開口部１２１  ，１２２  に対応する樹脂シート１１１  ，１１４  が熱接合される。図１に示すように、この熱接合工程で、樹脂シートの底辺部に熱接合部１５を形成することで、ファイル１０が形成される。なお、熱接合部１５では、樹脂シート１１１  ，１１４  が接合され、樹脂シート１１２  ，１１３  は熱接合部１５で接合されていない。なお、樹脂シートを一枚分の樹脂シートに打ち抜く前に、樹脂シートに印刷を施して、ファイルの表裏及び仕切が明確とし、かつインデックス部１４１  〜１４３  に印刷を行うことで、視覚的にもファイルの各収納部を明確にする。
【００２１】
また、本実施形態のファイル１０では、開口部１２１  ，１２２  を除く、樹脂シート１１１  と１１２  、及び樹脂シート１１３  と１１４  の各繋ぎ部がファイル１０の切断辺１０ｃと背部１０ａの近傍部分で残され、かつ切欠部１３１  ，１３２  が形成されている。そのために、表又は裏の樹脂シート１１１  ，１１４  を開く際に、直接接合部１５に引っ張り力が加わらないようになされている。また、上記熱接合工程では、二枚の樹脂シート１１１  ，１１４  を接合することで、四枚の樹脂シートからなるファイルを形成することができる。この構造のファイルでは、表樹脂シートを開いて熱接合する必要がなく、折り畳んだまま樹脂シートの底辺部を熱接合装置に差し込むことで熱接合が可能であり、生産性の高い形状のファイルである。
【００２２】
一方、図４（ａ），（ｂ）は、本発明の他の実施形態を説明するものであり、仕切り樹脂シート１６，１７を示している。これらの樹脂シート１６，１７は、図３（ａ）の第１の折り畳み工程の後、仕切り樹脂シート１６又は１７が差し込まれて、熱接合工程へと進み、樹脂シート１６又は１７の底部が図１の実施形態の外側の樹脂シート１１１  ，１１４  の熱接合部１５と一緒に熱接合されることによって、ファイルが形成される。なお、図４（ａ）の樹脂シート１６には、開口部１２３  が設けられ、開口部１２３  に対応する面が熱接合される。
【００２３】
このように、図１の実施形態に仕切り樹脂シート１６又は１７を加えることで、図１のファイルより、収納部を増やすことができる。図４（ａ）の仕切り樹脂シート１６では、５つの収納部を形成することができ、図４（ｂ）の仕切り樹脂シート１７では、４つの収納部を形成することができる。また、ファイルの幅は広がるので、背部にマチを形成するとよい。この実施形態においても熱接合部は、接合可能な三枚の樹脂シートを接合することで、ファイルの収納部を増やすことができる。
【００２４】
【発明の効果】
以上記述のように、本発明によれば、一枚の樹脂シートを折り畳んで、外側の樹脂シートと内側の樹脂シートとにより、三箇所の収納部が形成され、四枚の樹脂シートの内側の樹脂シートに該内側シートの背部に対して対称となる位置に同形状のスリット状開口部をそれぞれ設けることにより、内側の樹脂シートの底部を接合することなく、外側の樹脂シート同士を熱接合することで、ファイルを形成できる利点があり、通常の超音波接合装置を用いることなく、熱接合装置で形成できる利点がある。
【００２５】
また、本発明によれば、熱接合工程において、熱接合装置に折り畳んだ樹脂シートの底部を差し込むのみで、従来のように、外側の樹脂シートを開いて差し込むことなく、外側の樹脂シート同士を接合してファイルを製造することができ、生産性の高いファイルを提供することができる利点がある。
【００２６】
また、本発明によれば、内側の樹脂シートの背部が切断されており、内側の樹脂シートが外側の樹脂シート内に綺麗に収納されるので、ファイルに歪みが発生しないし、外側の樹脂シート同士が熱接合されるので、熱接合部が左右均等となり、一方のみ熱接合により伸びることがないので、歪みが生じず、仕上がりの綺麗なファイルを製造できる利点がある。
【００２７】
また、本発明によれば、樹脂シートの切断辺に設けた切欠部で、樹脂シートを開く際に引っ張り力が切欠部で吸収されて、熱接合部に直接力が加わらないので、外側と内側の樹脂シートの接合部が剥がれ難い作用を有する利点がある。さらに、外側と内側との樹脂シートの折り目が、樹脂シート背部と切断辺とのそれぞれの近傍に残されており、樹脂シートを開く際に熱接合部に直接力が加わらないので、外側と内側の樹脂シートの接合部が剥がれ難い利点がある。
【００２８】
また、本発明によれば、インデックス部が樹脂シートの切り込みで形成されており、ファイルを包装する際に、インデックス部が邪魔になることがなく、包装が容易である利点がある。
【００２９】
また、本発明によれば、一枚の樹脂シートを二つ折りする際に、例えば一枚の仕切り樹脂シートを、折り曲げた樹脂シートに挟むことによって、四つ以上の収納部を形成することができる利点がある。
【図面の簡単な説明】
【図１】（ａ）は、本発明のファイルの一実施形態を示す正面図であり、（ｂ）は、その説明のための図である。
【図２】本実施形態の展開図である。
【図３】（ａ），（ｂ）は、本実施形態の製造工程を説明するための図である。
【図４】（ａ），（ｂ）は、本発明の他の実施形態を説明するための図である。
【図５】従来のファイルの一例を示す図である。
【図６】従来のファイルの展開図である。
【符号の説明】
１０  ファイル
１０ａ  背部
１０ｂ  底辺
１０ｃ  切断辺
１１１  〜１１４    樹脂シート
１２１  ，１２２    開口部
１３１  ，１３２    切欠部
１４１  〜１４４    インデックス部
１５  熱接合部
１６，１７  仕切り樹脂シート
【図１】
0004508481.tif 000002
【図２】
0004508481.tif 000003
【図３】
0004508481.tif 000004
【図４】
0004508481.tif 000005
【図５】
0004508481.tif 000006
【図６】
0004508481.tif 000007